(57)【要約】【課題】ポンプに容易に安定して締結することができるポンプ運搬脚を提供する。【解決手段】ポンプ運搬脚は、ポンプを運搬するためのポンプ運搬脚であって、ポンプの締結用フランジを下方から支持する脚本体と、脚本体の頭部に設けられ、締結用フランジに形成された貫通孔を貫通するネジ軸と、ネジ軸に螺合され、締結用フランジを脚本体に締結するナットと、ナットと締結用フランジとの間に配置される座金と、を有している。座金の穴には、外向きに延びる切欠きが形成されており、切欠きの幅は、ネジ軸の直径より大きい。【選択図】  図８
2017040222.tif 000002
【特許請求の範囲】
【請求項１】
ポンプを運搬するためのポンプ運搬脚であって、
前記ポンプの締結用フランジを下方から支持する脚本体と、
前記脚本体の頭部に設けられ、前記締結用フランジに形成された貫通孔を貫通するネジ軸と、
前記ネジ軸に螺合され、前記締結用フランジを前記脚本体に締結するナットと、
前記ナットと前記締結用フランジとの間に配置される座金と、
を備え、
前記座金の穴には、外向きに延びる切欠きが形成されており、
前記切欠きの幅は、前記ネジ軸の直径より大きい
ことを特徴とするポンプ運搬脚。
【請求項２】
前記切欠きの幅は、前記座金の穴の直径より小さい
ことを特徴とする請求項１に記載のポンプ運搬脚。
【請求項３】
前記切欠きは、前記座金の外周まで延びて開口している
ことを特徴とする請求項１または２に記載のポンプ運搬脚。
【請求項４】
前記座金と前記ナットとの間に配置される補助座金
を更に備えたことを特徴とする請求項１〜３のいずれかに記載のポンプ運搬脚。
【発明の詳細な説明】
【技術分野】
【０００１】
本発明は、ポンプを運搬するためのポンプ運搬脚に関する。
【背景技術】
【０００２】
ポンプの生産現場では、ポンプが組み立てられた後、客先への納入前に性能試験を行うために、組み立てられたポンプが試験場へと運搬される。
【０００３】
組み立てられたポンプを試験場に運搬する機器として、クレーンを利用することが考えられる。しかしながら、ポンプがクレーンにより吊り下げられた不安定な状態で運搬される場合、運搬中にポンプが落下したり不用意に他の構造物と衝突したりする可能性がある。
【０００４】
特許文献１には、アンカーボルト等の引張荷重を容易に検査できる検査装置が開示されている。特許文献２には、軸締結装置の締結したテーパー加圧部材とテーパーボス部とを簡単に分離できる軸締結解除装置が開示されている。
【先行技術文献】
【特許文献】
【０００５】
【特許文献１】特開２００６−２７５８９８号公報
【特許文献２】特開平１１−２９４４７１号公報
【発明の概要】
【発明が解決しようとする課題】
【０００６】
本件発明者らは、組み立てられたポンプを試験場に運搬する機器として、キャスタ付きポンプ運搬脚を利用することを考えた。このポンプ運搬脚は、頭部にネジ軸が設けられており、ポンプ本体に設けられた締結用フランジの貫通孔に、ポンプ運搬脚のネジ軸が挿し込まれ、座金を介してナットが締め付けられることで、ポンプにポンプ運搬脚が取り付けられる。複数（例えば４つ以上）のポンプ運搬脚をポンプに取り付けることで、ポンプを安定な状態で運搬することが可能となる。
【０００７】
ところで、締結用フランジの貫通孔にポンプ運搬脚のネジ軸を挿し込む作業は、ポンプがクレーンにより吊られた不安定な状態で行われるため、ネジ軸が貫通孔の中心からずれて挿入されることがある。この場合、座金の穴の内周とネジ軸の外周とが接触することで、座金が座ぐりからはみ出してしまい、座金が座ぐりに対して傾斜した状態でナットが締め付けられることで、締結が不十分になるおそれがある。
【０００８】
このような場合には、締め付けたナットを一旦緩めた後、座金が座ぐりに収まるように、貫通孔へのネジ軸の挿入位置を調整し直す必要がある。再度の調整には時間と手間がかかるため、生産効率が大幅に低下するという問題がある。
【０００９】
本発明は、以上のような問題点に着目し、これを有効に解決すべく創案されたものである。本発明の目的は、ポンプに容易に安定して締結することができるポンプ運搬脚を提供することにある。
【課題を解決するための手段】
【００１０】
本発明によるポンプ運搬脚は、
ポンプを運搬するためのポンプ運搬脚であって、
前記ポンプの締結用フランジを下方から支持する脚本体と、
前記脚本体の頭部に設けられ、前記締結用フランジに形成された貫通孔を貫通するネジ軸と、
前記ネジ軸に螺合され、前記締結用フランジを前記脚本体に締結するナットと、
前記ナットと前記締結用フランジとの間に配置される座金と、
を備え、
前記座金の穴には、外向きに延びる切欠きが形成されており、
前記切欠きの幅は、前記ネジ軸の直径より大きい。
【００１１】
本発明によるポンプ運搬脚において、前記切欠きの幅は、前記座金の穴の直径より小さくてもよい。
【００１２】
本発明によるポンプ運搬脚において、前記切欠きは、前記座金の外周まで延びて開口していてもよい。
【００１３】
本発明によるポンプ運搬脚において、前記座金と前記ナットとの間に配置される補助座金を更に備えていてもよい。
【発明の効果】
【００１４】
本発明によれば、ポンプに容易に安定して締結することができるポンプ運搬脚を提供することができる。
【図面の簡単な説明】
【００１５】
【図１】図１は、本発明の一実施の形態によるポンプ運搬脚が取り付けられたポンプを示す側面図である。
【図２】図２は、図１のポンプを正面から示す図である。
【図３】図３は、本発明の一実施の形態によるポンプ運搬脚の一部を拡大して示す図である。
【図４】図４は、図３のポンプ運搬脚の一部が分解された状態を示す図である。
【図５Ａ】図５Ａは、本発明の一実施の形態によるポンプ運搬脚の座金を示す平面図である。
【図５Ｂ】図５Ｂは、図５Ａの座金のＡ−Ａ線に沿った断面図である。
【図６】図６は、本発明の一実施の形態によるポンプ運搬脚において、ネジ軸が締結用フランジの貫通孔の中心からずれて挿入されている状態を説明するための側面図である。
【図７】図７は、図６のポンプ運搬脚を上方から示す図である（ナットの図示は省略されている）。
【図８】図８は、図７のポンプ運搬脚において、座金が座ぐりに収められた状態を説明するための図である。
【図９】図９は、本発明の第２の実施の形態によるポンプ運搬脚の一部を拡大して示す図である。
【図１０】図１０は、図９のポンプ運搬脚において、座金が座ぐりに収められた状態を説明するための図である。
【図１１】図１１は、比較例のポンプ運搬脚において、ネジ軸が貫通孔の中心からずれて挿入され、座金が座ぐりからはみ出された状態を示す側面図である。
【発明を実施するための形態】
【００１６】
以下に、添付の図面を参照して、本発明の実施の形態を詳細に説明する。なお、本明細書に添付する図面においては、図示の理解のしやすさの便宜上、適宜縮尺および縦横の寸法比等を、実物のそれらから変更し誇張してある。
【００１７】
図１は、本発明の一実施の形態によるポンプ運搬脚が取り付けられたポンプを示す側面図である。図２は、図１のポンプを正面から示す図である。
【００１８】
図１及び図２に示すように、ポンプ２０は、ポンプ本体２１と、ポンプ本体２１に接続された吸い込み口２３及び吐出し口２４と、を有している。ポンプ本体２１の内部には、不図示の圧力生成手段が設けられている。圧力生成手段の動作によりポンプ本体２１の内部に圧力が生成されることで、吸い込み口２３からポンプ本体２１の内部に流体が吸い込まれるとともに、ポンプ本体２１の内部から吐出し口２４へと流体が吐き出されるようになっている。
【００１９】
図１及び図２に示すように、ポンプ本体２１の底部には、複数（図示された例では４つ）の締結用フランジ２２が設けられており、各締結用フランジ２２には、本実施の形態によるポンプ運搬脚１０が取り付けられている。ポンプ運搬脚１０の下端部には、キャスタ１９が設けられており、キャスタ１９の車輪が回転することで、ポンプ２０は床面に沿って容易に運搬されるようになっている。
【００２０】
図３は、本実施の形態によるポンプ運搬脚１０の一部を拡大して示す図である。図４は、図３のポンプ運搬脚１０の一部が分解された状態を示す図である。
【００２１】
図３及び図４に示すように、本実施の形態によるポンプ運搬脚１０は、ポンプ２０の締結用フランジ２２を下方から支持する脚本体１１と、脚本体１１の頭部に設けられ、締結用フランジ２２に形成された貫通孔２２ａを貫通するネジ軸１２と、ネジ軸１２に螺合され、締結用フランジ２２を脚本体１１に締結するナット１３と、ナット１３と締結用フランジ２２との間に配置される座金１４と、を備えている。
【００２２】
このうち脚本体１１は、略円柱形状を有しており、ネジ軸１２は、脚本体１１の頭部から脚本体１１と同軸状に延びるように設けられている。ネジ軸１２の直径は、締結用フランジ２２の貫通孔２２ａの直径より小さくなっており、ネジ軸１２は、締結用フランジ２２の貫通孔２２ａを、遊びをもって貫通するようになっている。なお、締結用フランジ２２の上面には、貫通孔２２ａと同軸状に座ぐり２２ｂが形成されている。
【００２３】
ネジ軸１２の外周面には、ネジ山が螺旋状に設けられており、ナット１３の内周面には、ネジ軸１２のネジ山に対応するネジ溝が螺旋状に形成されている。ナット１３がネジ軸１２に螺合された状態で、ナット１３がネジ軸１２に対して回転されることで、ナット１３はネジ軸１２の軸線方向に移動されるようになっている。
【００２４】
図５Ａは、本実施の形態によるポンプ運搬脚１０の座金１４を示す平面図である。図５Ｂは、図５Ａの座金１４のＡ−Ａ線に沿った断面図である。
【００２５】
図５Ａ及び図５Ｂに示すように、座金１４は、略円板形状を有しており、中央に穴１４ａが開けられている。穴１４ａの直径（すなわち、座金１４の内径）は、ネジ軸１２の直径より小さくなっており、ネジ軸１２は、座金１４の穴１４ａを、遊びをもって貫通できるようになっている（図３参照）。また、座金１４の直径（外径）は、締結用フランジ２２の貫通孔２２ａの直径より大きく、かつ、座ぐり２２ｂの直径より小さくなっており、平面視において、座金１４は座ぐり２２ｂの内側に収まることができるようになっている。
【００２６】
図５Ａ及び図５Ｂに示すように、本実施の形態では、座金１４の穴には、径方向外向きに延びる切欠き１４ｂが形成されている。図示された例では、切欠き１４ｂは、座金１４の外周まで延びて開口しており、座金１４は、平面視において略「Ｃ」字形状を呈している。
【００２７】
切欠き１４ｂの幅Ｗ（すなわち、切欠き１４ｂが延びる方向に対して直角な方向の長さ）は、ネジ軸１２の直径より大きくなっている。これにより、ネジ軸１２は、切欠き１４ｂの内側に入ることができるようになっている（図７参照）。
【００２８】
ところで、切欠き１４ｂの幅Ｗが大きいほど、座金１４の表面積が小さくなるため、座金１４の本来の機能性が低減して、ナット１３が緩みやすくなる。従って、切欠き１４ｂの幅Ｗは、ネジ軸１２の直径より大きい限りでは、小さいほうが好ましく、具体的には例えば、図示された例のように、座金１４の穴１４ａの直径より小さいことが好ましい。
【００２９】
次に、このような構成からなる本実施の形態の作用について説明する。
【００３０】
まず、図４を参照し、組み立てられたポンプ２０が不図示のクレーンにより吊り下げられた状態で、ポンプ２０の下方にポンプ運搬脚１０が運び入れられる。次いで、ポンプ運搬脚１０が持ち上げられることで、ポンプ２０の締結用フランジ２２の貫通孔２２ａに、ポンプ運搬脚１０のネジ軸１２が挿入され、脚本体１１の頭部が締結用フランジ２２の底面に当接される。
【００３１】
次に、図３に示すように、座金１４がネジ軸１２に入れられた後、ナット１３がネジ軸１２に螺合され、ナット１３が回転されながら下向きに移動されることで、ナット１３が座金１４に当接される。次いで、ナット１３が更に同じ向きに回転されることで、座金１４と締結用フランジ２２とは、ナット１３と脚本体１１との間に挟み込まれて締結される。
【００３２】
ところで、以上のような取り付け作業は、ポンプ２０がクレーンにより吊り下げられた状態で行われるため、ポンプ２０の揺れなどの影響により、ネジ軸１２が貫通孔２２ａの中心からずれて挿入されていることがある。この場合、図６及び図７に示すように、座金１４がネジ軸１２に入れられる際に、座金１４の穴１４ａの内周とネジ軸１２の外周とが接触することで、座金１４が座ぐり２２ｂからはみ出してしまうため、座金１４が座ぐり２２ｂに対して傾斜した状態で、ナット１３が締め付けられることになり、締結が不十分になる。
【００３３】
ここで、比較例として、図１１に示すように、切欠きが形成されていない市販の座金１１４が用いられる場合を考える。この場合、座金１１４を座ぐり２２ｂの内側に収めるには、締め付けたナット１３を一旦緩めた後、脚本体１１を掴んで前後左右に動かすことで、貫通孔２２ａへのネジ軸１２の挿入位置を調整し直す必要がある。再度の調整には時間と手間がかかるため、生産効率が大幅に低下するという問題がある。
【００３４】
一方、本実施の形態では、図８に示すように、座金１４に切欠き１４ｂが形成されているため、ネジ軸１２が切欠き１４ｂの内側に入るように座金１４だけを動かすことで、貫通孔２２ａへのネジ軸１２の挿入位置を調整し直すことなく、座金１４を座ぐり２２ｂの内側に収めることができる。
【００３５】
座金１４が座ぐり２２ｂの内側に収められた後、ナット１３を再び締め付けることで、ポンプ運搬脚１０はポンプ２０に安定して締結され得る。
【００３６】
以上のように、本実施の形態によれば、座金１４に切欠き１４ｂが形成されており、切欠き１４ｂはネジ軸１２の直径より大きい幅を有するため、ネジ軸１２が貫通孔２２ａの中心からずれて挿入されることで座金１４が座ぐり２２ｂからはみ出す場合であっても、ネジ軸１２が切欠き１４ｂの内側に入るように座金１４を動かすことで、座金１４を座ぐり２２ｂの内側に収めることができる。これにより、貫通孔２２ａへのネジ軸１２の挿入位置を調整し直すことなく、ポンプ運搬脚１０をポンプ２０に容易に安定して締結することが可能となり、生産効率が大幅に向上する。
【００３７】
また、本実施の形態によれば、切欠き１４ｂの幅が座金１４の穴の直径より小さいため、切欠き１４ｂの幅Ｗが大ききすぎて座金１４の表面積が足りなくなることで、ナット１３が緩みやすくなってしまうことを防止できる。
【００３８】
なお、本実施の形態では、切欠き１４ｂは座金１４の外周まで延びて開口していたが、これに限定されず、切欠き１４ｂは座金１４の外周まで延びて開口していなくてもよい。この場合、座金１４の表面積がその分大きくなるため、座金１４の本来の機能性が高まり、ナット１３が緩みやすくなることを防止できる。
【００３９】
なお、上述した実施の形態に対して様々な変更を加えることが可能である。以下、図面を参照しながら、変形の一例について説明する。以下の説明及び以下の説明で用いる図面では、上述した実施の形態と同様に構成され得る部分について、上述の実施の形態における対応する部分に対して用いた符号と同一の符号を用いるとともに、重複する説明を省略する。
【００４０】
図９は、本発明の第２の実施の形態によるポンプ運搬脚の一部を拡大して示す図である。図９に示す例では、補助座金１５が、座金１４とナット１３との間に配置されている。
【００４１】
補助座金１５は、座金１４より一回り小さく形成されている。これにより、座金１４の上に補助座金１５が配置された状態であっても、座金１４の外周が補助座金１５の外側にはみ出しているため、座金１４に容易にアクセスして動かすことが可能である。
【００４２】
このような第２の実施の形態によれば、図１０に示すように、補助座金１５が座金１４の切欠き１４ｂを覆うように配置されることで、ナット１３による締め付けが一層安定する。なお、図１０に示す例では、補助座金１５には座金１４と同様に切欠きが形成されているが、これは必ずしも必須ではなく、補助座金１５には切欠きが形成されていなくてもよい。
【符号の説明】
【００４３】
１０    ポンプ運搬脚
１１    脚本体
１２    ネジ軸
１３    ナット
１４    座金
１４ａ  穴
１４ｂ  切欠き
１５    補助座金
１９    キャスタ
２０    ポンプ
２１    ポンプ本体
２２    締結用フランジ
２２ａ  貫通孔
２２ｂ  座ぐり
２３    吸い込み口
２４    吐出し口
【図１】
2017040222.tif 000003
【図２】
2017040222.tif 000004
【図３】
2017040222.tif 000005
【図４】
2017040222.tif 000006
【図５Ａ】
2017040222.tif 000007
【図５Ｂ】
2017040222.tif 000008
【図６】
2017040222.tif 000009
【図７】
2017040222.tif 000010
【図８】
2017040222.tif 000011
【図９】
2017040222.tif 000012
【図１０】
2017040222.tif 000013
【図１１】
2017040222.tif 000014